(57)【要約】【課題】  光源から出射される光の利用効率を十分に向上することを可能とする光源装置及び投写型映像表示装置を提供する。【解決手段】  光源装置は、励起光を出射する光源１０と、励起光に応じて発光光を発光する発光体とを備える。光源装置は、励起光の光路上に設けられており、光源１０と発光体との間に配置されたロッドインテグレータ２０を備える。ロッドインテグレータ２０は、光源１０から出射された励起光を均一化する。【選択図】  図１
2012226217.tif 000002
【特許請求の範囲】
【請求項１】
励起光を出射する光源と、前記励起光に応じて発光光を発光する発光体とを備えた光源装置であって、
前記励起光の光路上に設けられており、前記光源と前記発光体との間に配置された光均一化部を備え、
前記光均一化部は、前記光源から出射された前記励起光を均一化することを特徴とする光源装置。
【請求項２】
前記光均一化部は、ロッドインテグレータであることを特徴とする請求項１に記載の光源装置。
【請求項３】
前記ロッドインテグレータは、前記励起光が入射する光入射面と、前記励起光が出射する光出射面とを有しており、
前記光出射面の面積は、前記光入射面の面積よりも小さいことを特徴とする請求項２に記載の光源装置。
【請求項４】
前記発光体は、前記発光光を反射する反射型回転体に設けられており、
前記ロッドインテグレータは、透明部材の側壁を有する中空のロッドインテグレータであり、
前記側壁の内側面は、前記ロッドインテグレータ内に導かれる前記発光光を反射し、
前記側壁の外側面は、前記側壁内に導かれる前記発光光を反射することを特徴とする請求項２に記載の光源装置。
【請求項５】
請求項１に記載の光源装置と、
前記光源装置から出射される光を変調する光変調素子と、
前記光変調素子によって変調される光を投写する投写ユニットとを備えることを特徴とする投写型映像表示装置。
【発明の詳細な説明】
【技術分野】
【０００１】
本発明は、光源から出射された励起光に応じて発光光を発光する発光体を備える光源装置及び投写型映像表示装置に関する。
【背景技術】
【０００２】
従来、光源と、光源から出射された光を変調する光変調素子と、光変調素子によって変調された光を投写面上に投写する投写ユニットとを有する投写型映像表示装置が知られている。
【０００３】
ここで、光源から出射される光を励起光として、赤成分光、緑成分光、青成分光などの基準映像光（以下、発光光）発光する発光体を有する投写型映像表示装置が提案されている（例えば、特許文献１）。具体的には、各色成分光を発光する複数種類の発光体がカラーホイールに設けられており、カラーホイールの回転によって、各色成分光が時分割で出射される。なお、光源から出射される光の利用効率を高めるために、光源から出射される光は、発光体のみに照射されることが好ましい。
【先行技術文献】
【特許文献】
【０００４】
【特許文献１】特開２０１０−８５７４０号公報
【発明の概要】
【発明が解決しようとする課題】
【０００５】
しかしながら、発明者らは、鋭意検討の結果、光源から出射される光が局所的に集中すると、発光体が発光光を十分に発光することができない現象（飽和現象）が生じることを見出した。
【０００６】
すなわち、発明者らは、光源から出射される光が発光体のみに照射されるように光源装置を構成しても、光源から出射される光の利用効率を十分に向上することができないことを見出した。
【０００７】
そこで、本発明は、上述した課題を解決するためになされたものであり、光源から出射される光の利用効率を十分に向上することを可能とする光源装置及び投写型映像表示装置を提供することを目的とする。
【課題を解決するための手段】
【０００８】
第１の特徴に係る光源装置は、励起光を出射する光源（光源１０）と、前記励起光に応じて発光光を発光する発光体（例えば、発光体Ｒ、発光体Ｇ）とを備える。光源装置は、前記励起光の光路上に設けられており、前記光源と前記発光体との間に配置された光均一化部（例えば、ロッドインテグレータ２０）を備える。前記光均一化部は、前記光源から出射された前記励起光を均一化する。
【０００９】
第１の特徴において、前記光均一化部は、ロッドインテグレータである。
【００１０】
第１の特徴において、前記ロッドインテグレータは、前記励起光が入射する光入射面（光入射面２５）と、前記励起光が出射する光出射面（光出射面２６）とを有する。前記光出射面の面積は、前記光入射面の面積よりも小さい。
【００１１】
第１の特徴において、前記発光体は、前記発光光を反射する反射型回転体（カラーホイール１３０）に設けられる。前記ロッドインテグレータは、透明部材の側壁を有する中空のロッドインテグレータである。前記側壁の内側面は、前記ロッドインテグレータ内に導かれる前記発光光を反射する。前記側壁の外側面は、前記側壁内に導かれる前記発光光を反射する。
【００１２】
第２の特徴に係る投写型映像表示装置は、第１の特徴に係る光源装置と、前記光源装置から出射される光を変調する光変調素子と、前記光変調素子によって変調される光を投写する投写ユニットとを備える。
【発明の効果】
【００１３】
本発明によれば、光源から出射される光の利用効率を十分に向上することを可能とする光源装置及び投写型映像表示装置を提供することができる。
【図面の簡単な説明】
【００１４】
【図１】図１は、第１実施形態に係る投写型映像表示装置１００を示す図である。
【図２】図２は、第１実施形態に係るロッドインテグレータ２０を示す図である。
【図３】図３は、第１実施形態に係るロッドインテグレータ２０を示す図である。
【図４】図４は、第１実施形態に係るカラーホイール３０を示す図である。
【図５】図５は、変更例１に係る投写型映像表示装置１００を示す図である。
【図６】図６は、変更例１に係るカラーホイール１３０を示す図である。
【図７】図７は、変更例２に係るロッドインテグレータ２０を示す図である。
【図８】図８は、変更例３に係る投写型映像表示装置１００を示す図である。
【発明を実施するための形態】
【００１５】
以下において、本発明の実施形態に係る光源装置及び投写型映像表示装置について、図面を参照しながら説明する。なお、以下の図面の記載において、同一又は類似の部分には、同一又は類似の符号を付している。
【００１６】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１７】
［実施形態の概要］
実施形態に係る光源装置は、励起光を出射する光源と、励起光に応じて発光光を発光する発光体とを備える。光源装置は、励起光の光路上に設けられており、光源と発光体との間に配置された光均一化部を備える。光均一化部は、光源から出射された励起光を均一化する。
【００１８】
実施形態では、光均一化部は、発光体に励起光が照射される前に、光源から出射された励起光を均一化する。従って、発光体が発光光を十分に発光することができない現象（飽和現象）が抑制される。これによって、光源から出射される光（励起光）の利用効率が向上する。
【００１９】
［第１実施形態］
（投写型映像表示装置）
以下において、第１実施形態に係る投写型映像表示装置について、図面を参照しながら説明する。図１は、第１実施形態に係る投写型映像表示装置１００を示す図である。なお、第１実施形態では、基準映像光として、赤成分光Ｒ、緑成分光Ｇ及び青成分光Ｂを用いるケースについて例示する。
【００２０】
図１に示すように、投写型映像表示装置１００は、光源１０と、ロッドインテグレータ２０と、カラーホイール３０と、反射ミラー４０と、ロッドインテグレータ５０と、折り返しミラー６０と、ＤＭＤ７０と、投写ユニット８０とを有する。
【００２１】
光源１０は、励起光を出射する。第１実施形態では、光源１０は、青成分光Ｂを出射する。なお、青成分光Ｂは、基準映像光として用いられるとともに、赤成分光Ｒ及び緑成分光Ｇの励起光としても用いられる。光源１０は、例えば、ＬＤ（Ｌａｓｅｒ  Ｄｉｏｄｅ）やＬＥＤ（Ｌｉｇｈｔ  Ｅｍｉｔｔｉｎｇ  Ｄｉｏｄｅ）などである。
【００２２】
ロッドインテグレータ２０は、励起光の光路上に設けられており、光源１０とカラーホイール３０との間に配置される。ロッドインテグレータ２０は、光源１０から出射される励起光を均一化する光均一化部の一例である。
【００２３】
第１実施形態では、ロッドインテグレータ２０は、ガラスなどの透明部材の側壁によって構成される中空のロッドである。具体的には、ロッドインテグレータ２０は、図２及び図３に示すように、側壁２１と、側壁２２と、側壁２３と、側壁２４とを有する。また、ロッドインテグレータ２０は、光入射面２５と、光出射面２６とを有する。なお、図２は、ロッドインテグレータ２０の断面（図３に示すＡ−Ａ断面）を示しており、図３は、ロッドインテグレータ２０を光入射面側から見た図である
側壁２１〜側壁２４は、ガラスなどの透明部材によって構成されており、板状形状を有する。
【００２４】
側壁２１は、外側面２１Ａ及び内側面２１Ｂを有する。外側面２１Ａは、側壁２１内に導かれる光を全反射によって反射する。内側面２１Ｂには、例えば、反射膜コートが施されており、ロッドインテグレータ２０内に導かれる光を反射する。
【００２５】
側壁２２は、外側面２２Ａ及び内側面２２Ｂを有する。外側面２２Ａは、側壁２２内に導かれる光を全反射によって反射する。内側面２２Ｂには、例えば、反射膜コートが施されており、ロッドインテグレータ２０内に導かれる光を反射する。
【００２６】
側壁２３は、外側面２３Ａ及び内側面２３Ｂを有する。外側面２３Ａは、側壁２３内に導かれる光を全反射によって反射する。内側面２３Ｂには、例えば、反射膜コートが施されており、ロッドインテグレータ２０内に導かれる光を反射する。
【００２７】
側壁２４は、外側面２４Ａ及び内側面２４Ｂを有する。外側面２４Ａは、側壁２４内に導かれる光を全反射によって反射する。内側面２４Ｂには、例えば、反射膜コートが施されており、ロッドインテグレータ２０内に導かれる光を反射する。
【００２８】
光入射面２５は、ロッドインテグレータ２０に光が入射する面である。光入射面２５は、例えば、側壁２１（内側面２１Ｂ）〜側壁２４（内側面２４Ｂ）によって囲まれる領域である。
【００２９】
光出射面２６は、ロッドインテグレータ２０から光が出射する面である。光入射面２５は、例えば、側壁２１（内側面２１Ｂ）〜側壁２４（内側面２４Ｂ）によって囲まれる領域である。
【００３０】
ここで、光出射面２６の面積は、光入射面２５の面積よりも小さいことが好ましい。言い換えると、ロッドインテグレータ２０は、テーパ形状を有していることが好ましい。
【００３１】
図１に戻って、カラーホイール３０は、励起光（青成分光Ｂ）の光軸に沿って延びる回転軸Ｘを中心として回転するように構成される。第１実施形態では、カラーホイール３０は、透過タイプである。
【００３２】
具体的には、図４に示すように、カラーホイール３０は、赤領域膜３１Ｒと、緑領域膜３１Ｇと、青領域３１Ｂと、ダイクロイックミラー膜３２とを有する。なお、図４は、カラーホイール３０を正面から見た図である。
【００３３】
赤領域膜３１Ｒは、光源１０から出射される青成分光Ｂ（励起光）に応じて赤成分光Ｒ（発光光）を発光する発光体Ｒを有する。発光体Ｒは、蛍光体或いは燐光体である。
【００３４】
赤領域膜３１Ｒは、図４に示すように、回転軸Ｘを中心とする円環領域のうち、所定の中心角度θＲを有する領域である。なお、赤領域膜３１Ｒは、カラーホイール３０の回転中において、青成分光Ｂ（励起光）が照射されるべき領域であることは勿論である。
【００３５】
緑領域膜３１Ｇは、光源１０から出射される青成分光Ｂ（励起光）に応じて緑成分光Ｇ（発光光）を発光する発光体Ｇを有する。発光体Ｇは、蛍光体或いは燐光体である。
【００３６】
緑領域膜３１Ｇは、図４に示すように、回転軸Ｘを中心とする円環領域のうち、所定の中心角度θＧを有する領域である。なお、緑領域膜３１Ｇは、カラーホイール３０の回転中において、青成分光Ｂ（励起光）が照射されるべき領域であることは勿論である。
【００３７】
青領域３１Ｂは、青成分光Ｂを透過する透明領域である。また、青領域３１Ｂは、図４に示すように、回転軸Ｘを中心として所定の中心角θＢを有する扇形状の領域である。
【００３８】
このように、カラーホイール３０の回転に伴って、赤成分光Ｒ、緑成分光Ｇ及び青成分光Ｂが時分割で出射される。
【００３９】
ダイクロイックミラー膜３２は、青成分光Ｂ（励起光）を反射し、赤成分光Ｒ及び緑成分光Ｇ（発光光）を透過する。ダイクロイックミラー膜３２は、図４に示すように、回転軸Ｘを中心として所定の中心角θＲ＋θＧを有する扇形状の領域である。言い換えると、光源１０から遠いホイール面のうち、青領域３１Ｂを除いた領域である。
【００４０】
なお、ダイクロイックミラー膜３２で反射される青成分光Ｂ（励起光）は、発光体Ｇ或いは発光体Ｒに照射され、発光光の発光に寄与することに留意すべきである。
【００４１】
図１に戻って、反射ミラー４０は、カラーホイール３０から時分割で出射される赤成分光Ｒ、緑成分光Ｇ及び青成分光Ｂを反射する。
【００４２】
ロッドインテグレータ５０は、ガラスなどの透明部材によって構成される中実のロッドである。ロッドインテグレータ５０は、ロッドインテグレータ５０に入射する光を均一化する。なお、ロッドインテグレータ５０は、内壁がミラー面によって構成される中空のロッドであってもよい。
【００４３】
折り返しミラー６０は、ロッドインテグレータ５０から出射される光をＤＭＤ７０側に反射する。
【００４４】
ＤＭＤ７０は、複数の微小ミラーによって構成されており、複数の微小ミラーは可動式である。各微小ミラーは、基本的に１画素に相当する。ＤＭＤ７０は、各微小ミラーの角度を変更することによって、投写ユニット８０側に光を反射するか否かを切り替える。
【００４５】
投写ユニット８０は、ＤＭＤ７０に設けられる微小ミラーで反射された光（映像光）を投写面上に投写する。
【００４６】
なお、図１に示すように、投写型映像表示装置１００は、必要なレンズ群（レンズ９１〜レンズ９６）を有する。
【００４７】
第１実施形態では、光源装置は、少なくとも光源１０、ロッドインテグレータ２０及びカラーホイール３０によって構成される。但し、光源装置は、光源１０、ロッドインテグレータ２０及びカラーホイール３０以外にも、ロッドインテグレータ５０や折り返しミラー６０などを含んでもよい。
【００４８】
（光出射面の面積）
以下において、ロッドインテグレータ２０の光出射面２６の面積について説明する。ここでは、各略号を以下のように定義する。
【００４９】
ＡＰｈｏｓｐｈｏｒ…発光体に照射される光の面積（発光面積）
ＡＰａｎｅｌ…ＤＭＤ７０に照射される光の面積（有効表示領域の面積）
ＡＲｏｄ…光出射面２６の面積
Ｆ…投写ユニット８０のＦナンバー
このような場合において、赤成分光Ｒ及び緑成分光Ｇ（発光光）は、発光体Ｒ及び発光体Ｇから全方位に拡がるため、“ＡＰｈｏｓｐｈｏｒ”は、Ｅｔｅｎｄｕｅ理論に基づいて、以下に示す条件を満たす必要がある。
【数１】
2012226217.tif 000003
【００５０】
また、ロッドインテグレータ２０の光出射面２６とカラーホイール３０との間に間隔が設けられるため、“ＡＰｈｏｓｐｈｏｒ”及び“ＡＲｏｄ”は、以下に示す関係を有する。
【数２】
2012226217.tif 000004
【００５１】
従って、“ＡＲｏｄ”は、以下に示す条件を満たす必要がある。
【数３】
2012226217.tif 000005
【００５２】
すなわち、ロッドインテグレータ２０の光出射面２６の面積は、Ｅｔｅｎｄｕｅ理論に基づいて、上述した条件を満たすように定められる。
【００５３】
（作用及び効果）
第１実施形態では、ロッドインテグレータ２０は、カラーホイール３０（発光体）に励起光が照射される前に、光源１０から出射された励起光を均一化する。従って、発光体が発光光（赤成分光Ｒ、緑成分光Ｇ）を十分に発光することができない現象（飽和現象）が抑制される。これによって、光源１０から出射される光（励起光）の利用効率が向上する。
【００５４】
第１実施形態では、ロッドインテグレータ２０は、テーパ形状を有している。すなわち、光出射面２６の面積は、光入射面２５の面積よりも小さい。
【００５５】
［変更例１］
以下において、第１実施形態の変更例１について説明する。以下においては、第１実施形態に対する相違点について主として説明する。
【００５６】
具体的には、第１実施形態では、透過タイプのカラーホイールについて例示した。これに対して、変更例１では、反射タイプのカラーホイールについて例示する。
【００５７】
具体的には、図５に示すように、投写型映像表示装置１００は、カラーホイール３０に代えて、カラーホイール１３０を有する。
【００５８】
カラーホイール１３０は、カラーホイール３０と同様に、励起光（青成分光Ｂ）の光軸に沿って延びる回転軸Ｘを中心として回転するように構成される。変更例１では、カラーホイール１３０は、反射タイプである。
【００５９】
具体的には、図６に示すように、カラーホイール１３０は、赤領域膜１３１Ｒと、緑領域膜１３１Ｇと、青領域１３１Ｂと、反射ミラー膜１３２とを有する。なお、図６は、カラーホイール１３０を正面から見た図である。
【００６０】
赤領域膜１３１Ｒ、緑領域膜１３１Ｇ及び青領域１３１Ｂは、第１実施形態で説明した赤領域膜３１Ｒ、緑領域膜３１Ｇ及び青領域３１Ｂと同様である。
【００６１】
反射ミラー膜１３２は、青成分光Ｂ（励起光）、赤成分光Ｒ及び緑成分光Ｇ（発光光）を反射する。反射ミラー膜１３２は、図６に示すように、回転軸Ｘを中心とする円環領域のうち、所定の中心角θＲ＋θＧを有する領域である。
【００６２】
このように、反射ミラー膜１３２は、赤成分光Ｒ及び緑成分光Ｇとは異なる光路に青成分光Ｂを導く。
【００６３】
図１に戻って、投写型映像表示装置１００は、必要なレンズ群（レンズ９１、レンズ９２、レンズ９５、レンズ９６、レンズ１５１〜レンズ１５３）を有する。また、投写型映像表示装置１００は、必要なミラー群（ミラー１４１〜ミラー１４４）を有する。
【００６４】
なお、ミラー１４１は、青成分光Ｂ（励起光）を透過し、赤成分光Ｒ及び緑成分光Ｇ（発光光）を反射するダイクロイックミラーである。ミラー１４２は、青成分光Ｂ（励起光）を反射し、赤成分光Ｒ及び緑成分光Ｇ（発光光）を透過するダイクロイックミラーである。ミラー１４３及びミラー１４４は、青成分光Ｂ（励起光）を反射する反射ミラーである。
【００６５】
このようなケースにおいて、上述したロッドインテグレータ２０の外側面２１Ａ〜外側面２４Ａには、反射膜コートが施されていることが好ましい。すなわち、外側面２１Ａ〜外側面２４Ａは、側壁２１〜側壁２４内に導かれる光を反射する反射ミラー面であることが好ましい。
【００６６】
具体的には、青成分光Ｂ（励起光）は、内側面２１Ｂ〜内側面２４Ｂで全反射され、カラーホイール１３０に導かれる。
【００６７】
これに対して、赤成分光Ｒ及び緑成分光Ｇ（発光光）は、発光体Ｒ及び発光体Ｇから全方位に拡がる。従って、赤成分光Ｒ及び緑成分光Ｇ（発光光）の一部は、ロッドインテグレータ２０の内側に入射せずに、側壁２１〜側壁２４内に導かれる。外側面２１Ａ〜外側面２４Ａが側壁２１〜側壁２４内に導かれる光を反射することによって、赤成分光Ｒ及び緑成分光Ｇ（発光光）の利用効率が高まる。
【００６８】
なお、側壁２１〜側壁２４の厚みは、光出射面２６の面積、光出射面２６とカラーホイール１３０との距離、赤成分光Ｒ及び緑成分光Ｇ（発光光）の拡がり角に応じて定められることが好ましい。すなわち、赤成分光Ｒ及び緑成分光Ｇ（発光光）を側壁２１〜側壁２４内に取入れることが可能な程度に、側壁２１〜側壁２４の厚みが定められることが好ましい。
【００６９】
（作用及び効果）
変更例１では、第１実施形態と同様に、ロッドインテグレータ２０は、カラーホイール３０（発光体）に励起光が照射される前に、光源１０から出射された励起光を均一化する。従って、発光体が発光光（赤成分光Ｒ、緑成分光Ｇ）を十分に発光することができない現象（飽和現象）が抑制される。すなわち、反射タイプのカラーホイール１３０を用いる場合であっても、光源１０から出射される光（励起光）の利用効率が向上する。
【００７０】
変更例１では、側壁２１〜側壁２４が反射ミラー面であるため、発光体Ｒ及び発光体Ｇから発光する赤成分光Ｒ及び緑成分光Ｇ（発光光）が拡がっても、赤成分光Ｒ及び緑成分光Ｇ（発光光）の利用効率を高めることができる。
【００７１】
［変更例２］
以下において、第１実施形態の変更例２について説明する。以下においては、第１実施形態に対する相違点について主として説明する。
【００７２】
具体的には、変更例２では、図７に示すように、ロッドインテグレータ２０の光出射面２６は、カラーホイール３０の盤面と略平行な平面Ｙを構成する。すなわち、光出射面２６が平面Ｙを構成するように、側壁２１〜側壁２４の端部が加工されている。なお、光入射面２５については、このような加工が施されていなくてもよい。
【００７３】
［変更例３］
以下において、第１実施形態の変更例３について説明する。以下においては、第１実施形態に対する相違点について主として説明する。
【００７４】
第１実施形態では、カラーホイール３０の盤面上において、励起光（青成分光Ｂ）が１箇所に集光される。これに対して、変更例３では、カラーホイール３０の盤面上において、励起光（青成分光Ｂ）が２箇所に集光される。
【００７５】
具体的には、図８に示すように、投写型映像表示装置１００は、光源１０として、光源１０Ａ及び光源１０Ｂを有しており、ロッドインテグレータ２０として、ロッドインテグレータ２０Ａ及びロッドインテグレータ２０Ｂを有する。
【００７６】
光源１０Ａ及び光源１０Ｂは、第１実施形態で説明した光源１０と同様に、励起光（青成分光Ｂ）を出射する。
【００７７】
ロッドインテグレータ２０Ａ及びロッドインテグレータ２０Ｂは、第１実施形態で説明したロッドインテグレータ２０と同様に、光源１０Ａ及び光源１０Ｂから出射される励起光を均一化する光均一化部の一例である。
【００７８】
なお、ロッドインテグレータ２０Ａによって均一化された励起光（青成分光Ｂ）及びロッドインテグレータ２０Ｂによって均一化された励起光（青成分光Ｂ）は、別々にカラーホイール３０に照射される。
【００７９】
なお、投写型映像表示装置１００は、第１実施形態と同様に、必要なレンズ群（レンズ９１Ａ〜レンズ９４Ａ、レンズ９１Ｂ〜レンズ９４Ｂ、レンズ９５〜レンズ９７）を有する。
【００８０】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００８１】
実施形態では、光変調素子として、ＤＭＤ７０が例示されているが、実施形態は、これに限定されるものではない。光変調素子は、１つの液晶パネル或いは３つの液晶パネル（赤液晶パネル、緑液晶パネル及び青液晶パネル）であってもよい。液晶パネルは、透過型であってもよく、反射型であってもよい。
【００８２】
実施形態では、励起光として青成分光Ｂを用いるケースについて説明した。しかしながら、実施形態は、これに限定されるものではない。例えば、励起光として紫外成分光を用いてもよい。このようなケースでは、紫外成分光に応じて青成分光Ｂを出射する発光体が用いられる。
【００８３】
実施形態では、ロッドインテグレータ２０が中空のロッドであるケースについて例示した。しかしながら、実施形態は、これに限定されるものではない。ロッドインテグレータ２０は、中実のロッドであってもよい。
【００８４】
実施形態では、ロッドインテグレータ２０がテーパ形状を有するケースについて例示した。しかしながら、実施形態は、これに限定されるものではない。ロッドインテグレータ２０は、テーパ形状を有しておらず、棒状（角柱状）の形状を有していてもよい。
【００８５】
実施形態では、光均一化部の一例として、ロッドインテグレータ２０を例示した。しかしながら、実施形態は、これに限定されるものではない。光均一化部は、回折素子であってもよく、フライアイレンズであってもよい。
【００８６】
実施形態では、ロッドインテグレータ２０の側壁の外側面は、側壁内に導かれる光を全反射によって反射する。しかしながら、実施形態は、これに限定されるものではない。例えば、側壁の外側面には、反射膜コートが施されていてもよい。
【符号の説明】
【００８７】
１０…光源、２０…ロッドインテグレータ、２１〜２４…側壁、２１Ａ〜２４Ａ…外側面、２１Ｂ〜２４Ｂ…内側面、２５…光入射面、２６…光出射面、３０…カラーホイール、３１Ｂ…青領域、３１Ｇ…緑領域膜、３１Ｒ…赤領域膜、３２…ダイクロイックミラー膜、４０…反射ミラー、５０…ロッドインテグレータ、６０…折り返しミラー、７０…ＤＭＤ、８０…投写ユニット、９１〜９７…レンズ、１００…投写型映像表示装置、１３０…カラーホイール、１３１Ｂ…青領域、１３１Ｇ…緑領域膜、１３１Ｒ…赤領域膜、１３２…反射ミラー膜、１４１〜１４４…ミラー、１５１〜１５３…レンズ
【図１】
2012226217.tif 000006
【図２】
2012226217.tif 000007
【図３】
2012226217.tif 000008
【図４】
2012226217.tif 000009
【図５】
2012226217.tif 000010
【図６】
2012226217.tif 000011
【図７】
2012226217.tif 000012
【図８】
2012226217.tif 000013